(57)【要約】【課題】子供達によって用いられても特に安全な保証シールを備えた容器用キャップを提供することを課題とする。【手段】キャップ（１）の保証シール（１０）は、係合部（２４）と接続部（２８）とを有する複数の保証部を含んでいる。保証シールは、隣接する保証部を相互に接続させるためのブリッジ（３２）と、係合部（２４）をキャップ（１）のハンドリング部（２）と一体にさせる安全部（３４）を更に含んでいる。安全部（３４）は、危険なスパイクの形成を阻止するために、シールが破壊された状態において、係合部（２４）を拘束された状態に維持させるのに構造的に好適に構成されている。
2010507540.tif 000002
【特許請求の範囲】
【請求項１】
キャップと係合するのに好適な抵抗手段（１０４）を有する、容器の連結部（１００）に、連結させるのに好適で、回転軸線（Ｚ−Ｚ）を中心に回転させることにより連結部（１００）から分離させられるのに好適なキャップ（１）であって、
キャップ（１）を容器から分離させるために、ユーザーによって回転させるのに好適なハンドリング部（２）と、
前記ハンドリング部（２）と一体に形成され、複数の保証部（２２）を有して、破壊されるようになっている保証シール（１０）を有し、
前記保証部（２２）の少なくとも一つが、
前記保証シール（１０）の回転を阻止するために前記連結部（１００）の前記抵抗手段（１０４）と係合するのに好適な少なくとも一つの係合手段（２６）を有する係合部（２４）と、
前記係合部（２４）に接続されて、少なくとも一つの接続手段（３０）を有し、当該接続手段（３０）によって前記ハンドリング部（２）と一体にされている接続部（２８）を有し、
前記保証シール（１０）が、隣接する保証部（２２）を相互に連結させ且つ前記ハンドリング部（２）を前記保証シール（１０）に対して回転させることにより破壊されるのに好適な少なくとも一つのブリッジ（３２）を有し、
前記保証シールが、前記係合部（２４）を前記ハンドリング部（２）と一体にさせる安全部（３４）を更に有し、
前記安全部（３４）が、シールの破壊状態において前記係合部（２４）を拘束させた状態に維持させるのに構造的に好適に構成されていることを特徴とするキャップ（１）。
【請求項２】
前記保証シール（１０）寄りの下部縁（１４）と上部縁（１６）とを有して、それらの間を軸線方向に延びている内側環状壁（１２）と、
前記内側環状壁（１２）を閉塞するために前記上部縁（１６）の所に配置された閉塞部（１８）を更に有し、
前記内側環状壁（１２）が前記ハンドリング部（２）と一体に構成され、前記内側環状壁（１２）の前記下部縁（１４）が前記保証シール（１０）に対して径方向内側に位置している、請求項１に記載のキャップ（１）。
【請求項３】
前記内側環状壁（１２）に、前記容器の前記連結部（１００）に対して締め付け及び又は緩めることを可能にするネジが前記内側環状壁（１２）の内側に形成されている、請求項２に記載のキャップ（１）。
【請求項４】
前記安全部（３４）が、前記保証シール（１０）の前記係合部（２４）を前記内側環状壁（１２）と接続させている、請求項２又は３に記載のキャップ（１）。
【請求項５】
前記安全部（３４）が、前記保証シール（１０）の前記係合部（２４）を前記内側環状壁（１２）の下部縁（１４）に接続させている、請求項４に記載のキャップ（１）。
【請求項６】
前記ハンドリング部（２）が、前記保証シール（１０）寄りの下部縁（４）と上部縁（６）とを有して、それら上部縁（４）と下部縁との間を軸線方向に延び、前記内側環状壁（１２）に対して径方向で離間して前記内側環状壁（１２）を取り囲んでいる、請求項２〜５の何れか一項に記載のキャップ（１）。
【請求項７】
前記下部縁（４）が前記保証シール（１０）に対して径方向外方に位置している、請求項６に記載のキャップ（１）。
【請求項８】
前記ハンドリング部（２）を前記内側環状壁（１２）と接続させる少なくとも一つの舌部（２０）を有している、請求項６又は７に記載のキャップ（１）。
【請求項９】
前記舌部（２０）が平坦で、前記回転軸線（Ｚ−Ｚ）に沿った長手方向平面上に位置している、請求項８に記載のキャップ（１）。
【請求項１０】
四つの前記舌部（２０）が、前記回転軸線（Ｚ−Ｚ）を中心として互いに等間隔を隔てて離間配置されている、請求項８又は９に記載のキャップ（１）。
【請求項１１】
前記保証シール（１０）の前記安全部（３４）が、前記係合部（２４）を前記舌部（２０）と接続させる補強手段（３６）を有している、請求項８〜１０の何れか一項に記載のキャップ（１）。
【請求項１２】
前記係合部（２４）と前記接続部（２８）とを破壊されたシール状態にさせるための環状スペース（３８）が、前記保証シール（２０）の前記係合部（２４）と前記接続部（２８）との間に設けられている、請求項１〜１１の何れか一項に記載のキャップ（１）。
【請求項１３】
前記キャップの外側エンクロージャーを通過する安全通路（２１）を有している、請求項１〜１２の何れか一項に記載のキャップ（１）。
【請求項１４】
前記安全通路（２１）が、前記ハンドリング部（２）を通過するように設けられている、請求項１３に記載のキャップ（１）。
【請求項１５】
容器に連結するのに好適な、筒状ストロー（１０２）を備えた連結部（１００）と、
前記連結部（１００）に接続された、請求項１〜１４の何れか一項に記載のキャップ（１）を有する容器用閉塞装置。
【請求項１６】
前記連結部（１００）が、当該連結部（１００）を容器壁に溶着させるための溶着壁（１０６）を有している、請求項１５に記載の閉塞装置。
【請求項１７】
容器と、前記容器に連結された、請求項１５又は１６に記載の閉塞装置を有している容器組立体。
【請求項１８】
前記容器が変形自在である、請求項１７に記載の容器組立体。
【発明の詳細な説明】
【技術分野】
【０００１】
本発明は、保証シールを備えた容器用キャップ、即ち、容器が初めて開けられた時に、破壊されて、容器が開けられ或いは容器に手が加えられたことが分かるシールを備えたキャップに関するものである。
【背景技術】
【０００２】
保証シールを備えたキャップは、容器が未だ開けられておらず或いは容器に手が加えられていないことを消費者に確証させることを可能にするものであるので、保証シールを備えたキャップが非常に普及してきていることが知られている。そのような保証は、栄養パスタ用の容器、又は、例えば、フルーツジュースの如き液体用の容器の分野において特に評価されている。そのような容器においては、容器が開けられると、内容物の品質低下を生じさせ或いは場合によっては望ましくない物質が容器内へ進入してしまう可能性もある。
【０００３】
特にフルーツジュースの容器は子供達によって普通に用いられているため、多かれ少なかれ程度の差があるにしても各国による厳しい規格は、キャップが充足しなければならない安全条件を規定している。
【０００４】
その規格は、子供達がキャップを飲み込んでしまう可能性を阻止するために、通常、キャップの寸法に対して或る制限を課している。
【０００５】
現在知られているキャップに関しては、キャップが一旦緩められると、保証シールは、キャップ本体に付いたままの幾つかの部分に分割されるため、子供達がそのような分割された部分を飲み込んでしまうという危険性は実質的に防止される。
【０００６】
然しながら、それら分割された部分がキャップ本体に対して脆弱に付いている場合以外は、それらの部分は、キャップ本体から危険な態様で突出したスパイク（ｓｐｉｋｅ）を構成することとなる。それらスパイクは、子供の目を傷つけ、又は、歯によってキャップ本体から分離させられて飲み込んでしまうという可能性がある。
【発明の開示】
【発明が解決しようとする課題】
【０００７】
本発明は、子供達が用いても特に安全な保証シールを備えた容器用キャップを提供することを目的とする。
【課題を解決するための手段】
【０００８】
そのような目的は、本願の特許請求の範囲の請求項１に記載のキャップによって達成される。請求項１に従属する請求項には、本発明によるキャップの様々な実施形態が記載されている。
【０００９】
本発明によるキャップの特徴及び利点については、何ら限定されるものではない本発明の実施形態に関して図面を参照して行った後述の説明を参照することにより明確になるであろう。
【発明を実施するための最良の形態】
【００１０】
添付図面を参照すると、参照符号１は、容器の連結部１００に接続されるのに好適な、好ましく変形自在なキャップを示している。
【００１１】
容器の連結部１００は、容器から内容物を排出させるための筒状ストロー１０２を備え、そのストローにキャップを連結することが可能である。
【００１２】
ストロー１０２の基部において、連結部１００は、少なくとも容器が初めて開けられた時に、キャップの回転を阻止するためにキャップと係合するのに好適な少なくとも一つの抵抗手段１０４を有している。
【００１３】
本発明の好ましい実施形態によれば、連結部１００は、連結部１００を容器壁に溶着させるための溶着壁１０６を更に有している。
【００１４】
キャップ１は、回転軸線Ｚ−Ｚを中心に通常回転させることにより容器の連結部１００から分離させるのに好適なもので、保証シール１０を有している。この保証シール１０は、容器が初めて開けられた時に、即ち、キャップ１が連結部１００から初めて緩められた時に、破壊されて、容器が開けられたことを明らかにさせる。
【００１５】
キャップ１は、キャップ１を容器から分離させるためにユーザーが回転させるのに好適なハンドリング部２を有している。
【００１６】
本発明の好ましい実施形態によれば、ハンドリング部２は、保証シール１０寄りの下部縁４から上部縁６に向かって軸線方向へ延びている。保証シール１０は、ハンドリング部２の下部縁４より下方に向かって軸線方向へ突出している。
【００１７】
また、ハンドリング部２の下部縁４は保証シール１０に対して径方向外方へ位置しているのが好ましい。
【００１８】
また、本発明の好ましい実施形態によれば、キャップ１は、キャップ１を連結部１００に締め付け及び又は連結部１００から緩めるのを可能にさせる、例えば、内側にねじが付けられた内側環状壁１２を更に有している。
【００１９】
内側環状壁１２は、軸線方向に延びて、保証シール１０寄りの下部縁１４と上部縁１６とを有し、その下部縁１４は保証シール１０に対して径方向内側に位置している。また、ハンドリング部２は、径方向で内側環状壁１２から離間して内側環状壁１２を取り囲んでいる。
【００２０】
キャップ１は、内側環状壁１２の上部縁１６の所に位置してキャップを閉塞することにより容器を閉塞するための上側閉塞部１８を更に有している。
【００２１】
また、本発明の好ましい実施形態によれば、キャップ１は、キャップの回転軸線Ｚ−Ｚに沿った長さ方向平面上に位置する、例えば、平坦な、少なくとも一つの舌部２０を更に有している。図示実施形態においては、キャップ１は、回転軸線Ｚ−Ｚの回りに等間隔で配置された四つの舌部２０を有している。
【００２２】
舌部２０は、ハンドリング部２を内側環状壁１２と接続させている。
【００２３】
本発明の好ましい実施形態によれば、キャップは、キャップの外側エンクロージャー、例えば、ハンドリング部２を通過する安全通路２１を有している。
【００２４】
有益なことに、安全通路２１は、キャップについて規定されている最も厳格な規格に適合しつつも、キャップが誤って飲み込まれた場合に、エアーがハンドリング部を通過することを可能にさせる。
【００２５】
本発明の好ましい実施形態によれば、その安全通路２１は、複数の舌部２０の間、即ち、ハンドリング部２と内側環状壁１２との間に設けられている。
【００２６】
回転軸線Ｚ−Ｚを中心とした環状のテープとして延びている保証シール１０は、破壊されていないシール状態即ち容器が初めて開けられる前の状態において互いに連結されていつつも、破壊されたシール状態即ち容器が初めて開けられた時に互いに分離される複数の保証部２２を有している。
【００２７】
保証部２２は、保証シールの回転を防止するために、連結部１００の抵抗手段１０４と係合するのに好適な少なくとも一つの係合手段２６を有する係合部２４を含んでいる。
【００２８】
保証部２２は、係合部２４に接続された接続部２８を更に有し、その接続部２８は、接続部２８をハンドリング部２と一体的にさせるための少なくとも一つの接続手段３０を有している。
【００２９】
更に、保証シールは、保証部２２を互いに接続する少なくとも一つのブリッジ３２を有している。このブリッジ３２は、保証シール１０に対してハンドリング部２を回転させることにより壊れるのに好適なものである。
【００３０】
保証部２２は、係合部２４をハンドリング部２と一体にさせている安全部３４を更に有している。この安全部３４は、シールが破壊された状態において係合部２４がハンドリング部２と接続されたままの状態に維持させるのに構造的に好適なものとして構成されている。
【００３１】
換言すると、保証シールが破壊されて、容器が開かれたことが示された場合においても、安全部３４は、危険なスパイクを形成させないように係合部２４を規制させた状態に維持させる。
【００３２】
更に、より高い安全性を確保するために、本発明の好ましい実施形態に依れば、安全部３４は、安全部３４を舌部２０に連結させる補強手段３６を有している。
【００３３】
更に、係合部２４と接続部２８との間に環状スペース（ｌｏｏｐ）３８を設けるのが好ましく、それにより、係合部２４と接続部２８とを効果的に破壊されたシール状態にさせることを可能にする。
【００３４】
画期的なことに、本発明によるキャップは、安全で、特に子供が使用しても安全である。
【００３５】
特に、保証部を破壊させるブリッジの引き裂きによって保証部が互いに分離したとしても、保証部は、危険なスパイクを生じさせないように制限された長さに維持される。
【００３６】
更に、有益なことに、保証部は、例えば、口で引きちぎられないように内側環状壁に強固に拘束されている。
【００３７】
特別な及び付随的な条件に適合させるために、当業者が、特許請求の範囲に記載された発明の要旨を逸脱しない範囲内で、上述した実施形態に対して適宜変更及び調整を加えることができることは明らかである。
【図面の簡単な説明】
【００３８】
【図１】破壊されていない状態で示された保証シールを備えた、本発明によるキャップを下方から見た斜視図である。
【図２】図１に示したキャップを上方から見た斜視図である。
【図３】図２に示したキャップの側面図である。
【図４】本発明によるキャップと、容器との連結部とを有する閉塞装置を示した図で、保証シールが破壊し始めた状態で示されている図である。
【図５】シールが破壊されていない状態で示されている、図４の閉塞装置を示した図である。
【図６】図５のＶＩ−ＶＩ線断面図である。
【図７】シールが破壊された状態にある、本発明によるキャップを示した斜視図である。
【図１】
2010507540.tif 000003
【図２】
2010507540.tif 000004
【図３】
2010507540.tif 000005
【図４】
2010507540.tif 000006
【図５】
2010507540.tif 000007
【図６】
2010507540.tif 000008
【図７】
2010507540.tif 000009
【国際調査報告】
2010507540.tif 000010
2010507540.tif 000011
2010507540.tif 000012